【手続補正書】
【提出日】平成17年10月25日(2005.10.25)
【手続補正１】
【補正対象書類名】特許請求の範囲
【補正対象項目名】全文
【補正方法】変更
【補正の内容】
【特許請求の範囲】
【請求項１】
細胞増殖障害または脈管形成障害を処置し得る候補化合物を同定するための方法であって、以下：
ｉ）以下：
ａ）配列番号２のアミノ酸配列と少なくとも９５％同一なアミノ酸配列を含むポリペプチドであって、該ポリペプチドは、フコシダーゼ活性を有する、ポリペプチド；
ｂ）配列番号１または配列番号３のヌクレオチド配列を含む核酸と少なくとも９５％同一なヌクレオチド配列を含む核酸分子によりコードされるポリペプチドであって、該ポリペプチドは、フコシダーゼ活性を有する、ポリペプチド；
ｃ）配列番号２のアミノ酸配列を含むポリペプチド；および
ｄ）配列番号１または配列番号３に示されるヌクレオチド配列によりコードされるポリペプチド
からなる群より選択されるポリペプチドを発現するサンプルを試験化合物に、該化合物の該ポリペプチドへの結合に適切な条件下で接触させる工程；ならびに
ｉｉ）該試験化合物が、該ポリペプチドに結合するかどうかを決定する工程
を包含し、それによって、細胞増殖障害または脈管形成障害を処置し得る化合物を同定する、方法。
【請求項２】
細胞増殖障害または脈管形成障害を処置し得る候補化合物を同定するための方法であって、以下：
ｉ）以下：
ａ）配列番号２のアミノ酸配列と少なくとも９５％同一なアミノ酸配列を含むポリペプチドであって、該ポリペプチドは、フコシダーゼ活性を有する、ポリペプチド；
ｂ）配列番号１または配列番号３のヌクレオチド配列を含む核酸と少なくとも９５％同一なヌクレオチド配列を含む核酸分子によりコードされるポリペプチドであって、該ポリペプチドは、フコシダーゼ活性を有する、ポリペプチド；
ｃ）配列番号２のアミノ酸配列を含むポリペプチド；および
ｄ）配列番号１または配列番号３に示されるヌクレオチド配列によりコードされるポリペプチド
からなる群より選択されるポリペプチドを発現するサンプルを試験化合物に、該化合物が該ポリペプチドの活性を調節するのに適切な条件下で接触させる工程；ならびに
ｉｉ）該試験化合物が、該ポリペプチドの該活性を調節する能力をアッセイする工程
を包含し、それによって、細胞増殖障害または脈管形成障害を処置し得る化合物を同定する、方法。
【請求項３】
細胞増殖障害または脈管形成障害を処置し得る化合物を同定するための方法であって、以下：
ｉ）以下：
ａ）配列番号１または配列番号３のヌクレオチド配列と少なくとも９５％同一なヌクレオチド配列を含む核酸分子；
ｂ）配列番号１または配列番号３のヌクレオチド配列を含む核酸分子；
ｃ）配列番号２のアミノ酸配列と少なくとも９５％同一なアミノ酸配列を含むポリペプチドをコードする核酸分子であって、該ポリペプチドは、フコシダーゼ活性を有する、核酸；および
ｄ）配列番号２のアミノ酸配列をコードする核酸分子
からなる群より選択される核酸分子を発現するサンプルを化合物に接触させる工程；ならびに
ｉｉ）該化合物が、該核酸分子の該発現を調節する能力をアッセイする工程
を包含し、それによって細胞増殖障害または脈管形成障害を処置し得る化合物を同定する、方法。
【請求項４】
細胞増殖または脈管形成を調節し得る候補化合物を同定するための方法であって、以下：
ｉ）以下：
ａ）配列番号２のアミノ酸配列と少なくとも９５％同一なアミノ酸配列を含むポリペプチドであって、該ポリペプチドは、フコシダーゼ活性を有する、ポリペプチド；
ｂ）配列番号１または配列番号３のヌクレオチド配列を含む核酸と少なくとも９５％同一なヌクレオチド配列を含む核酸分子によりコードされるポリペプチドであって、該ポリペプチドは、フコシダーゼ活性を有する、ポリペプチド；
ｃ）配列番号２のアミノ酸配列を含むポリペプチド；および
ｄ）配列番号１または配列番号３に示されるヌクレオチド配列によりコードされるポリペプチド
からなる群より選択されるポリペプチドを発現するサンプルを試験化合物に、該化合物の該ポリペプチドへの結合に適切な条件下で接触させる工程；ならびに
ｉｉ）該試験化合物が、該ポリペプチドに結合するかどうかを決定する工程
を包含し、それによって、細胞増殖または脈管形成を調節し得る化合物を同定する、方法。
【請求項５】
細胞増殖または脈管形成を調節し得る候補化合物を同定するための方法であって、以下：
ｉ）以下：
ａ）配列番号２のアミノ酸配列と少なくとも９５％同一なアミノ酸配列を含むポリペプチドであって、該ポリペプチドは、フコシダーゼ活性を有する、ポリペプチド；
ｂ）配列番号１または配列番号３のヌクレオチド配列を含む核酸と少なくとも９５％同一なヌクレオチド配列を含む核酸分子によりコードされるポリペプチドであって、該ポリペプチドは、フコシダーゼ活性を有する、ポリペプチド；
ｃ）配列番号２のアミノ酸配列を含むポリペプチド；および
ｄ）配列番号１または配列番号３に示されるヌクレオチド配列によりコードされるポリペプチド
からなる群より選択されるポリペプチドを発現するサンプルを試験化合物に、該試験化合物が該ポリペプチドの活性を調節するのに適切な条件下で接触させる工程；ならびに
ｉｉ）該試験化合物が、該ポリペプチドの該活性を調節する能力をアッセイする工程
を包含し、それによって、細胞増殖または脈管形成を調節し得る化合物を同定する、方法。
【請求項６】
細胞増殖または脈管形成を調節し得る化合物を同定するための方法であって、以下：
ｉ）以下：
ａ）配列番号１または配列番号３のヌクレオチド配列と少なくとも９５％同一なヌクレオチド配列を含む核酸分子；
ｂ）配列番号１または配列番号３のヌクレオチド配列を含む核酸分子；
ｃ）配列番号２のアミノ酸配列と少なくとも９５％同一なアミノ酸配列を含むポリペプチドをコードする核酸分子であって、該ポリペプチドは、フコシダーゼ活性を有する、核酸分子；および
ｄ）配列番号２のアミノ酸配列をコードする核酸分子
からなる群より選択される核酸分子を発現するサンプルを化合物に接触させる工程；ならびに
ｉｉ）該化合物が、該核酸分子の該発現を調節する能力をアッセイする工程
を包含し、それによって細胞増殖または脈管形成を調節し得る化合物を同定する、方法。
【請求項７】
前記サンプルがポリペプチドである、請求項１、２、４または５に記載の方法。
【請求項８】
前記サンプルが細胞である、請求項１、２、３、４、５または６に記載の方法。
【請求項９】
前記細胞が、内皮細胞、間質細胞、上皮細胞、脈管形成組織由来の細胞または胎仔由来の細胞である、請求項８に記載の方法。
【請求項１０】
前記細胞増殖障害または脈管形成障害が、乳房癌、肺癌、卵巣癌、結腸癌および血管腫である、請求項１、２または３に記載の方法。
【請求項１１】
前記化合物が、低分子、ペプチドおよび抗体からなる群より選択される、請求項１、２、４または５に記載の方法。
【請求項１２】
前記化合物が、アンチセンス核酸分子である、請求項３または６に記載の方法。
【請求項１３】
前記ポリペプチドが、異種性のアミノ酸配列をさらに含む、請求項１、２、４または５に記載の方法。
【請求項１４】
細胞増殖障害もしくは脈管形成障害を有するか、細胞増殖障害もしくは脈管形成障害を発症する危険のある被験体を同定するためのキットであって、該キットは、第１の増幅プライマーおよび第２の増幅プライマーを含み、該第１のプライマーは、配列番号１または３の少なくとも２５の連続するヌクレオチドを含み、そして該第２のプライマーは、配列番号１または３の相補体からの少なくとも２５の連続するヌクレオチドを含む、キット。
【請求項１５】
細胞増殖障害もしくは脈管形成障害を有するか、細胞増殖障害もしくは脈管形成障害を発症する危険のある被験体を同定するためのキットであって、該キットは、以下：
ａ）配列番号２のアミノ酸配列と少なくとも９５％同一なアミノ酸配列を含むポリペプチドであって、該ポリペプチドは、フコシダーゼ活性を有する、ポリペプチド；
ｂ）配列番号１または配列番号３のヌクレオチド配列を含む核酸と少なくとも９５％同一なヌクレオチド配列を含む核酸分子によりコードされるポリペプチドであって、該ポリペプチドは、フコシダーゼ活性を有する、ポリペプチド；
ｃ）配列番号２のアミノ酸配列を含むポリペプチド；および
ｄ）配列番号１または配列番号３に示されるヌクレオチド配列によりコードされるポリペプチド
からなる群より選択されるポリペプチド、および該ポリペプチドに選択的に結合し得る抗体を含有する、キット。
【請求項１６】
前記細胞増殖障害または脈管形成障害が、乳房癌、肺癌、卵巣癌、結腸癌または血管腫である、請求項１４または１５に記載のキット。
【請求項１７】
請求項１、２、３、４、５または６で同定された化合物を含む、細胞増殖障害または脈管形成障害を有する被験体を処置するための薬学的組成物。
【請求項１８】
前記細胞増殖障害または脈管形成障害が、乳房癌、肺癌、卵巣癌、結腸癌または血管腫である、請求項１７に記載の薬学的組成物。